(57)【要約】【課題】  不正に通行する人物を検出できる改札システム、情報処理装置、および、情報処理プログラムを提供する。【解決手段】  実施形態によれば、改札システムは、簡易改札機と撮影装置と情報処理装置とを有する。簡易改札機は、券処理部と、人間検知センサと、券処理部による処理状態と人間検知センサによる人物の検知状態とに基づいて券処理部に券媒体を提示せずに入退場口を通行した無札者を検出し、検出した無札者が入退場口を通行した日時を含む無札情報を生成する制御部とを有する。撮影装置は、撮影部と、撮影部が撮影した映像と当該映像を撮影した日時とを対応づけた映像情報を生成する制御部とを有する。情報処理装置は、無札情報を取得する第１の取得部と、映像情報を取得する第２の取得部と、無札情報に含まれる日時と映像情報に含まれる日時とにより無札者が入退場口を通行した時の映像を抽出する制御部とを有する。【選択図】図１
2018045375.tif 000002
【特許請求の範囲】
【請求項１】
入退場口に設置された簡易改札機と撮影装置と情報処理装置とを有する改札システムであって、
前記簡易改札機は、
提示される券媒体を処理する券処理部と、
前記入退場口を通行する人物を検知する人間検知センサと、
前記券処理部による処理状態と前記人間検知センサによる人物の検知状態とに基づいて前記券処理部に券媒体を提示せずに前記入退場口を通行した無札者を検出し、検出した無札者が前記入退場口を通行した日時を含む無札情報を生成する制御部と、を有し、
前記撮影装置は、
前記簡易改札機が設置される入退場口の映像を撮影する撮影部と、
前記撮影部が撮影した映像と当該映像を撮影した日時とを対応づけた映像情報を生成する制御部と、を有し、
前記情報処理装置は、
前記簡易改札機が生成する前記無札情報を取得する第１の取得部と、
前記撮影装置が生成する前記映像情報を取得する第２の取得部と、
前記無札情報に含まれる日時と前記映像情報に含まれる日時とにより無札者が前記入退場口を通行した時の映像を無札通行時の映像として抽出する制御部と、を有する、
改札システム。
【請求項２】
前記情報処理装置の制御部は、
前記無札通行時の映像を記憶装置に記憶し、前記記憶装置に記憶した複数の無札通行時の映像に対する人物特定処理により無札通行の常習者を特定する、
請求項１に記載の改札システム。
【請求項３】
前記情報処理装置の制御部は、
前記第１の取得部により取得する無札情報を集計し、集計した情報を出力装置へ出力する、
請求項１又は２の何れかに記載の改札システム。
【請求項４】
前記簡易改札機の制御部は、前記券処理部に提示した券媒体による通行が不可と判断された状態のままで前記入退場口を通行したＮＧ通行者を前記人間検知センサが検知した場合に当該ＮＧ通行者が前記入退場口を通行した日時を含むＮＧ通行情報を生成し、
前記情報処理装置の第２の取得部は、前記ＮＧ通行情報を取得し、
前記情報処理装置の制御部は、前記ＮＧ通行情報に含まれる日時と前記映像情報に含まれる日時とによりＮＧ通行者が前記入退場口を通行した時の映像をＮＧ通行時の映像として抽出する、
請求項１に記載の改札システム。
【請求項５】
前記情報処理装置の制御部は、
前記ＮＧ通行時の映像を記憶装置に記憶し、前記記憶装置に記憶した複数のＮＧ通行時の映像に対する人物特定処理によりＮＧ通行の常習者を特定する、
請求項４に記載の改札システム。
【請求項６】
前記情報処理装置の制御部は、
前記第１の取得部により取得するＮＧ通行情報を集計し、集計した情報を出力装置へ出力する、
請求項４又は５の何れかに記載の改札システム。
【請求項７】
入退場口に設置された簡易改札機と撮影装置と情報処理装置とを有する改札システムであって、
前記簡易改札機は、
提示される券媒体を処理する券処理部と、
前記入退場口を通行する人物を検知する人間検知センサと、
前記券処理部が処理する券媒体による改札処理結果を示す改札処理情報と、前記人間検知センサによる人物の検知結果を示す人検知情報と、を履歴情報として生成する制御部と、を有し、
前記撮影装置は、
前記簡易改札機が設置される入退場口の映像を撮影する撮影部と、
前記撮影部が撮影した映像と当該映像を撮影した日時とを対応づけた映像情報を生成する制御部と、を有し、
前記情報処理装置は、
前記簡易改札機が生成する前記改札処理情報と前記人検知情報とを含む履歴情報を取得する第１の取得部と、
前記撮影装置が生成する前記映像情報を取得する第２の取得部と、
前記改札処理情報と前記人検知情報とに基づいて無札者を検出し、検出した無札者が前記入退場口を通行した時の映像を無札通行時の映像として抽出する制御部と、を有する、
改札システム。
【請求項８】
入退場口に設置された簡易改札機と撮影装置と情報処理装置とを有する改札システムであって、
前記簡易改札機は、
提示される券媒体を処理する券処理部と、
前記券処理部が処理する券媒体による改札処理を実行した日時を含む改札処理結果を示す改札処理情報を生成する制御部と、を有し、
前記撮影装置は、
前記簡易改札機が設置される入退場口の映像を撮影する撮影部と、
前記撮影部が撮影した映像と当該映像を撮影した日時とを対応づけた映像情報を生成する制御部と、を有し、
前記情報処理装置は、
前記簡易改札機が生成する前記改札処理情報を取得する第１の取得部と、
前記撮影装置が生成する前記映像情報を取得する第２の取得部と、
前記映像情報に含まれる映像から前記入退場口を通行する人物を検出し、検出した人物が前記入退場口を通行した日時と前記改札処理情報に含まれる日時とに基づいて無札者を検出し、検出した無札者が前記入退場口を通行した時の映像を無札通行時の映像として抽出する制御部と、を有する、
改札システム。
【請求項９】
入退場口に設置された簡易改札機と撮影装置と情報処理装置とを有する改札システムであって、
前記簡易改札機は、
提示される券媒体を処理する券処理部と、
前記券処理部が処理する券媒体による改札処理を実行した日時を含む改札処理結果を示す改札処理情報を生成する制御部と、を有し、
前記撮影装置は、
前記簡易改札機が設置される入退場口の映像を撮影する撮影部と、
前記撮影部が撮影した映像と当該映像を撮影した日時とを対応づけた映像情報を生成し、前記撮影部が撮影した映像から前記入退場口を通行する人物を検出し、前記検出した人物が前記入退場口を通行した日時を示す人検知情報を生成する制御部と、を有し、
前記情報処理装置は、
前記簡易改札機が生成する前記改札処理情報を取得する第１の取得部と、
前記撮影装置が生成する前記映像情報と前記人検知情報とを取得する第２の取得部と、
前記改札処理情報と前記人検知情報とに基づいて無札者を検出し、検出した無札者が前記入退場口を通行した時の映像を無札通行時の映像として抽出する制御部と、を有する、
改札システム。
【請求項１０】
簡易改札機が設置された入退場口における処理状態を管理する情報処理装置において、
前記簡易改札機が設置された入退場口を券媒体を提示しない無札者が通行した日時を含む無札情報を取得する第１の取得部と、
前記簡易改札機が設置された入退場口の映像と当該映像を撮影した日時とを対応づけた映像情報を取得する第２の取得部と、
前記無札情報に含まれる日時と前記映像情報に含まれる日時とにより無札者が前記入退場口を通行した時の映像を無札通行時の映像として抽出する制御部と、
を有する情報処理装置。
【請求項１１】
簡易改札機が設置された入退場口における処理状態を管理する情報処理装置において、
前記簡易改札機に提示された券媒体に対応した改札処理結果を示す改札処理情報と、前記簡易改札機が設置された入退場口での人物の検知結果を示す人検知情報と、を取得する第１の取得部と、
前記簡易改札機が設置された入退場口の映像と当該映像を撮影した日時とを対応づけた映像情報を取得する第２の取得部と、
前記改札処理情報と前記人検知情報とに基づいて無札者を検出し、検出した無札者が前記入退場口を通行した時の映像を無札通行時の映像として抽出する制御部と、
を有する情報処理装置。
【請求項１２】
簡易改札機が設置された入退場口における処理状態を管理する情報処理装置において、
前記簡易改札機に提示された券媒体に対応する改札処理を実行した日時を含む改札処理結果を示す改札処理情報を取得する第１の取得部と、
撮影装置が撮影した映像と当該映像を撮影した日時とを対応づけた映像情報を取得する第２の取得部と、
前記映像情報に含まれる映像から前記入退場口を通行する人物を検出し、検出した人物が前記入退場口を通行した日時と前記改札処理情報に含まれる日時とに基づいて無札者を検出し、検出した無札者が前記入退場口を通行した時の映像を無札通行時の映像として抽出する制御部と、
を有する情報処理装置。
【請求項１３】
簡易改札機が設置された入退場口における処理状態を管理する情報処理装置において、
前記簡易改札機に提示される券媒体に対応する改札処理を実行した日時を含む改札処理結果を示す改札処理情報を取得する第１の取得部と、
撮影装置が撮影した映像と当該映像を撮影した日時とを対応づけた映像情報と、前記撮影装置が前記映像情報に含まれる映像から検出する人物が前記入退場口を通行した日時を示す人検知情報と、を取得する第２の取得部と、
前記改札処理情報と前記人検知情報とに基づいて無札者を検出し、検出した無札者が前記入退場口を通行した時の映像を無札通行時の映像として抽出する制御部と、
を有する情報処理装置。
【請求項１４】
コンピュータに、
簡易改札機が設置された入退場口を券媒体を提示しない無札者が通行した日時を含む無札情報を取得する機能と、
前記簡易改札機が設置された入退場口の映像と当該映像を撮影した日時とを対応づけた映像情報を取得する機能と、
前記無札情報に含まれる日時と前記映像情報に含まれる日時とにより無札者が前記入退場口を通行した時の映像を無札通行時の映像として抽出する機能と、
を実行させるための情報処理プログラム。
【請求項１５】
コンピュータに、
簡易改札機に提示された券媒体に対応した改札処理結果を示す改札処理情報と、前記簡易改札機が設置された入退場口での人物の検知結果を示す人検知情報と、を取得する機能と、
前記簡易改札機が設置された入退場口の映像と当該映像を撮影した日時とを対応づけた映像情報を取得する機能と、
前記改札処理情報と前記人検知情報とに基づいて無札者を検出し、検出した無札者が前記入退場口を通行した時の映像を無札通行時の映像として抽出する機能と、
を実行させるための情報処理プログラム。
【請求項１６】
コンピュータに、
簡易改札機に提示された券媒体に対応する改札処理を実行した日時を含む改札処理結果を示す改札処理情報を取得する機能と、
撮影装置が撮影する映像と当該映像を撮影した日時とを対応づけた映像情報を取得する機能と、
前記映像情報に含まれる映像から前記簡易改札機が設置された入退場口を通行する人物を検出し、検出した人物が前記入退場口を通行した日時と前記改札処理情報に含まれる日時とに基づいて無札者を検出し、検出した無札者が前記入退場口を通行した時の映像を無札通行時の映像として抽出する機能と、
を実行させるための情報処理プログラム。
【請求項１７】
コンピュータに、
簡易改札機に提示される券媒体に対応する改札処理を実行した日時を含む改札処理結果を示す改札処理情報を取得する機能と、
撮影装置が撮影する映像と当該映像を撮影した日時とを対応づけた映像情報と、前記撮影装置が前記映像情報に含まれる映像から検出する人物が前記簡易改札機が設置された入退場口を通行した日時を示す人検知情報と、を取得する機能と、
前記改札処理情報と前記人検知情報とに基づいて無札者を検出し、検出した無札者が前記入退場口を通行した時の映像を無札通行時の映像として抽出する機能と、
を実行させるための情報処理プログラム。
【発明の詳細な説明】
【技術分野】
【０００１】
本発明の実施形態は、改札システム、情報処理装置、および、情報処理プログラムに関する。
【背景技術】
【０００２】
無人駅や閑散駅に設置される従来の簡易改札機は、人間検知センサおよびドアを実装しておらず、改札口を通行する無札者を検知したり、抑止したりすることができない。また、無人駅や閑散駅では、係員による対応が困難であるため、人間検知センサおよびドアを実装する改札機を設置しても運用が難しい。
【先行技術文献】
【特許文献】
【０００３】
【特許文献１】特開平１０−０１１６２４号公報
【発明の概要】
【発明が解決しようとする課題】
【０００４】
上記の課題を解決するために、本発明は、不正に通行する人物を検出できる改札システム、情報処理装置、および、情報処理プログラムを提供することを目的とする。
【課題を解決するための手段】
【０００５】
実施形態によれば、改札システムは、入退場口に設置された簡易改札機と撮影装置と情報処理装置とを有する。前記簡易改札機は、提示される券媒体を処理する券処理部と、前記入退場口を通行する人物を検知する人間検知センサと、前記券処理部による処理状態と前記人間検知センサによる人物の検知状態とに基づいて前記券処理部に券媒体を提示せずに前記入退場口を通行した無札者を検出し、検出した無札者が前記入退場口を通行した日時を含む無札情報を生成する制御部とを有する。前記撮影装置は、前記簡易改札機が設置される入退場口の映像を撮影する撮影部と、前記撮像部により撮影する映像と当該映像を撮影した日時とを対応づけた映像情報を生成する制御部とを有する。前記情報処理装置は、前記簡易改札機が生成する前記無札情報を取得する第１の取得部と、前記撮影装置が生成する前記映像情報を取得する第２の取得部と、前記無札情報に含まれる日時と前記映像情報に含まれる日時とにより無札者が前記入退場口を通行した時の映像を無札通行時の映像として抽出する制御部とを有する。
【図面の簡単な説明】
【０００６】
【図１】図１は、実施形態に係る改札システム全体の構成例を概略的に示すブロック図である。
【図２】図２は、実施形態に係る簡易改札機の設置例を示す外観図である。
【図３】図３は、実施形態に係る上位サーバの構成例を示すブロック図である。
【図４】図４は、実施形態に係る簡易改札機の構成例を示すブロック図である。
【図５】図５は、実施形態に係る監視盤の構成例を示すブロック図である。
【図６】図６は、実施形態に係る撮影装置の構成例を示すブロック図である。
【図７】図７は、第１の実施形態に係る簡易改札機の動作例を説明するためのフローチャートである。
【図８】図８は、第１の実施形態に係る撮影装置の動作例を説明するためのフローチャートである。
【図９】図９は、第１の実施形態に係る上位サーバにおける無札者の検出処理を説明するためのフローチャートである。
【図１０】図１０は、第１の実施形態に係る上位サーバにおけるＮＧ通行者の検出処理を説明するためのフローチャートである。
【図１１】図１１は、第２の実施形態に係る簡易改札機の動作例を説明するためのフローチャートである。
【図１２】図１２は、第２の実施形態に係る上位サーバにおける無札者の検出処理を説明するためのフローチャートである。
【図１３】図１３は、第２の実施形態に係る上位サーバにおけるＮＧ通行者の検出処理を説明するためのフローチャートである。
【図１４】図１４は、第３の実施形態に係る簡易改札機の動作例を説明するためのフローチャートである。
【図１５】図１５は、第３の実施形態に係る上位サーバにおける無札者の検出処理を説明するためのフローチャートである。
【図１６】図１６は、第３の実施形態に係る上位サーバにおけるＮＧ通行者の検出処理を説明するためのフローチャートである。
【図１７】図１７は、第４の実施形態に係る撮影装置の動作例を説明するためのフローチャートである。
【発明を実施するための形態】
【０００７】
以下、実施の形態について、図面を参照して説明する。  
まず、各実施形態に係る改札システムの構成について説明する。  
図１は、各実施形態に係る改札システムの構成例を概略的に示す図である。  
図１に示す構成において、改札システムは、上位サーバ（情報処理装置）１、出力装置２、簡易改札機３、監視盤（情報処理装置）４、撮影装置５などを有する。改札システムは、例えば、鉄道などの事業者ごとに構築され、各駅などに設置される改札機などの各駅務機器が接続されるシステムである。以下に説明する本実施形態に係る改札システムは、改札機として簡易改札機３が含まれる。簡易改札機３は、人物の通行を物理的に阻止するためのドアなどが設置されていない改札機である。簡易改札機３は、例えば、駅係員が常駐していない無人駅や閑散駅（以下、簡易改札駅と称する）に設置される。簡易改札機３が設置される場所には、簡易改札機３の周辺を撮影する撮影装置５が設置される。
【０００８】
上位サーバ１および出力装置２は、改札システム全体を管理するセンタなどに設置される。簡易改札機３、監視盤４および撮影装置５は、無人駅や閑散駅（以下、簡易改札駅と称する）に設置される。改札システムにおいて、簡易改札駅は、複数であっても良い。各簡易改札駅に設置される簡易改札機３および撮影装置５は、１つであって良いし、複数であっても良い。なお、改札システムには、人物の通行を物理的に阻止するためのドアなどを具備する自動改札機が改札口に設置される簡易改札駅以外の駅に設置される駅務機器も接続されるようにしても良い。
【０００９】
上位サーバ１は、改札システム全体のデータを管理する情報処理装置である。例えば、上位サーバ１は、簡易改札機３から収集したデータに基づいてデータ処理を行う。また、上位サーバ１は、撮影装置５が撮影した映像データを管理する。出力装置２は、上位サーバ１によるデータ処理の結果として得られる情報を出力するための装置である。例えば、出力装置２は、表示装置あるいはプリンタなどである。
【００１０】
簡易改札機３は、改札処理を行う改札機のうち人物の通行を物理的に阻止する手段を具備しない簡易な構成の改札機である。すなわち、簡易改札機３は、利用者が提示する券媒体から読み取る情報に基づいて通行の可否を判定する機能（通行判定機能）を有するものの、通行の可否判定の結果に応じて人物の通行を物理的に制御する機能（構成）を具備しない。簡易改札機３は、乗車券の提示無しで通行する者（無札者）、および、提示した乗車券に基づく通行判定の結果が通行不可（判定ＮＧ）となった者の通行を物理的に阻止する機能を具備しない改札機である。
【００１１】
図２は、簡易改札機３の設置例を示す外観図である。図２に示す例では、簡易改札機３は、駅構内へ入場あるいは駅構外へ出場するための通路（入退場口）を形成するように設置される。利用者は、通路（入退場口）を通行する際（入場又は出場の際）に、簡易改札機３に券媒体を提示する。簡易改札機３は、利用者が提示する券媒体に対して入場処理又は出場処理を実施する。なお、簡易改札機３は、図２に示す構成に限定されるものではなく、入退場口に設置され、利用者が提示する券媒体を処理する機能を有するものであれば良い。
【００１２】
また、簡易改札機３は、監視盤４およびネットワークを介して上位サーバ１に接続される。例えば、簡易改札機３は、監視盤４に動作状況を通知する機能を有する。また、簡易改札機３は、監視盤４からの動作指示に応じて動作したり、監視盤４からのデータにより制御データなどを更新したりする機能を有する。また、簡易改札機３は、監視盤４を介して通行判定結果を示す情報を上位サーバ１へ転送する機能を有する。
【００１３】
監視盤４は、各駅（又は各改札口）に設置されている簡易改札機３に接続される。また、監視盤４は、ネットワークを介して上位サーバ１に接続する。上位サーバ１と各簡易改札機３とは、監視盤４を介してデータ通信を行う。監視盤４は、接続される各改札機３の動作状態を監視し、各改札機３に対して遠隔で動作指示を供給する。また、監視盤４は、上位サーバ１から供給される情報を各改札機３へ配信する機能を有する。また、監視盤４は、各改札機３から受信した情報を保持しておき、所定のタイミング又は上位サーバ１からの要求に応じて保持した情報を上位サーバ１へ送信するようにしても良い。
【００１４】
撮影装置５は、簡易改札機３の周囲（入退場口）の映像を撮影するカメラである。撮影装置５は、駅の構内（例えば、駅のホーム）への入場する人物、及び、駅の構内から出場する人物を撮影できるように設置される。撮影装置５は、ネットワークを介して上位サーバ１に接続される。例えば、撮影装置５は、撮影した画像を撮影時刻の情報と共に上位サーバ１へ転送する機能を有する。
【００１５】
次に、上位サーバ１の構成について説明する。  
図３は、上位サーバ１の構成例を示すブロック図である。  
図３に示すように、上位サーバ１は、プロセッサ１１、ＲＯＭ１２、ＲＡＭ１３、記憶部１４、通信部１５、インターフェース（Ｉ／Ｆ）１６、１７を有する。上位サーバ１は、インストールされるプログラムが実行可能なコンピュータであり、汎用のサーバにより構成される。
【００１６】
プロセッサ１１は、上位サーバ１全体の制御を司る。プロセッサ１１は、例えば、ＣＰＵである。プロセッサ１１は、ＲＯＭ１２あるいは記憶部１４に記憶されている種々のプログラムに基づいて動作することにより種々の機能を実現する。ＲＯＭ１２は、予めプログラムおよび制御データなどが記憶されている不揮発性のメモリである。例えば、ＲＯＭ１２は、プログラムメモリとして機能する。ＲＡＭ１３は、ワーキングメモリとして機能する揮発性のメモリである。ＲＡＭ１３は、プロセッサ１１が処理中のデータなどを一時保管するバッファメモリとして機能する。また、ＲＡＭ１３は、通信部１５、Ｉ／Ｆ１６、１７が送受信するデータを一時的に記憶するためのバッファとしても機能する。
【００１７】
記憶部１４は、書き換えが可能な不揮発性のメモリである。記憶部１４は、例えば、ＨＤＤ、ＳＳＤ、ＥＥＰＲＯＭ（登録商標）、フラッシュＲＯＭなどのデータの書き込み及び書き換えが可能な不揮発性のメモリにより構成される。記憶部１４は、プログラム、制御データ、及び設定情報などを記憶する。例えば、記憶部１４は、監視盤４を介して各簡易改札機３から取得する履歴情報、および、各撮影装置５から取得する映像情報などを記憶する。
【００１８】
通信部１５は、ネットワークを介して各駅の監視盤４および撮影装置５とデータ通信を行うための通信インターフェースである。通信部１５は、監視盤４を介して簡易改札機３からの履歴情報（改札処理情報、又は、改札処理情報と人検知情報）を取得する第１の取得部、および、撮影装置５からの情報（映像情報、又は映像情報と人検知情報）を取得する第２の取得部として機能する。なお、第１の取得部は、ネットワークを介して監視盤４などの駅務機器と通信するための通信インターフェースとして実現し、第２の取得部は、第１の取得部とは別に設けられた各撮影装置５と通信するための通信インターフェースで実現しても良い。
【００１９】
インターフェース１６は、出力装置２としてのプリンタ２Ａに接続するためのインターフェースである。インターフェース１６を介して上位サーバ１に接続されるプリンタ２Ａは、上位サーバ１のプロセッサ１１からの印刷指示に応じて印刷処理を行う。インターフェース１７は、出力装置２としての表示装置２Ｂに接続するためのインターフェースである。インターフェース１７を介して上位サーバ１に接続される表示装置２Ｂは、上位サーバ１のプロセッサ１１により表示する内容が制御される。
【００２０】
次に、簡易改札機３の構成について説明する。  
図４は、簡易改札機３の構成例を示すブロック図である。  
図４に示すように、簡易改札機３は、プロセッサ３１、ＲＯＭ３２、ＲＡＭ３３、記憶部３４、通信部３５、券処理部３６、人間検知センサ３７およびクロック３８を有する。  
プロセッサ３１、ＲＯＭ３２およびＲＡＭ３３は、簡易改札機３全体を制御するメイン制御部として機能する。プロセッサ３１は、例えば、ＣＰＵなどの演算部である。プロセッサ３１は、ＲＯＭ３２又は記憶部３４が記憶するプログラムを実行することにより種々の処理機能を実現する。ＲＯＭ３２は、不揮発性のメモリであり、プログラムメモリとして機能する。ＲＯＭ３２は、プロセッサ３１が実行するプログラムや制御データなどを記憶する。ＲＡＭ３３は、一時的にデータを保持するワーキングメモリとして機能する。ＲＡＭ３３は、プログラムをロードしたり、プロセッサ３１が処理中のデータを保持したりする。ＲＡＭ３３は、通信データなどを一時的に保持するバッファメモリとしても機能する。
【００２１】
記憶部３４は、データを記憶するメモリである。記憶部３４は、ＨＤＤ或はＳＳＤなどの書換え可能な不揮発性メモリを含む。記憶部３４は、改札処理において通行判定に用いる運賃情報などの情報を記憶する。また、記憶部３４は、プロセッサ３１が実行可能なプログラムなどのデータを記憶しても良い。  
通信部３５は、監視盤４或は監視盤４を介して上位サーバ１とデータ通信を行なう為の通信インターフェースである。
【００２２】
券処理部３６は、利用者が提示する券媒体を処理するものである。券処理部３６は、利用者が提示する券媒体から情報を読取り、読み取った情報による改札処理結果に応じた情報を書込む。券処理部３６は、利用者が提示する券媒体（簡易改札機が対応可能な媒体）に対応した処理機構を有する処理ユニットである。実施形態に係る改札システムで利用可能な券媒体は、簡易改札機が読取及び書込みが可能な乗車券情報などの情報を記録する記録媒体であれば良い。例えば、券媒体は、非接触通信により情報の送受信を行う非接触式ＩＣカード、磁気記録部に情報が記録される磁気式の記録媒体（磁気券）、ＱＲコード（登録商標）などのコード化した情報を記録（印刷又は表示）する記録媒体、非接触ＩＣカードと同様な機能を有する携帯電話機などのモバイル端末、或は、ＱＲコード（登録商標）などのコード化した情報を表示するモバイル端末などがある。
【００２３】
利用者が提示する券媒体がＩＣカードである場合、券処理部３６は、カードリーダライタにより構成される。また、利用者が提示する券媒体が磁気券である場合、券処理部３６は、磁気券を処理する機構を有する処理ユニットにより構成される。また、券処理部３６は、磁気券とＩＣカードとの両方を処理する機能を有する処理ユニットで構成しても良い。以下に説明する各実施形態では、主に、利用者が提示する券媒体がＩＣカードである場合を想定して説明するものとし、券処理部３６がカードリーダライタであることを想定して説明するものとする。券処理部３６は、磁気券を処理する処理ユニットであっても良いし、磁気券とＩＣカードとの両方を処理する機能を有する処理ユニットであっても良い。
【００２４】
券処理部３６としてのカードリーダライタ（カードＲＷ）は、利用者が所持する乗車券媒体としてのＩＣカードとのデータ通信を行うインターフェースである。券処理部３６としてのカードＲＷは、非接触式ＩＣカードとしての近距離無線通信を行うためのアンテナおよび通信制御部などにより構成される。例えば、カードＲＷは、プロセッサ３１からの指示に基づいて、データの読出しを要求するコマンドをＩＣカードへ送信し、そのコマンドに対するレスポンスとして読出データをＩＣカードから受信する。また、カードＲＷは、プロセッサ３１からの指示に基づいてデータの書き込みを要求するコマンドをＩＣカードへ送信し、そのコマンドに対するレスポンス（書込み結果）をＩＣカードから受信する。
【００２５】
人間検知センサ３７は、人物を検知するセンサである。人間検知センサ３７は、通行者を検知できるものであれば良く、１つであっても良い。例えば、簡易改札機３が通路を形成する筐体で構成される場合、人間検知センサ３７は、入退場口（通路内又は通路の前後）の何れか１か所で通行者を検知できるものであれば良い。例えば、図２に示す構成の簡易改札機３において、通路の中央付近に人間検知センサ３７が設けられる。また、人間検知センサ３７は、小児を識別するための高さセンサと兼用のセンサであっても良い。  
なお、後述する幾つかの実施形態においては、簡易改札機３は、人間検知センサ３７を省略した構成であるものとする。  
クロック３８は、現在時刻を計時する。クロック３８が計時する時刻は、プロセッサ３１が適宜参照できるように構成される。
【００２６】
次に、監視盤４の構成について説明する。  
図５は、監視盤４の構成例を示すブロック図である。  
図５に示すように、監視盤４は、プロセッサ４１、ＲＯＭ４２、ＲＡＭ４３、記憶部４４、第１通信部４５、および第２通信部４６などを有する。  
プロセッサ４１、ＲＯＭ４２およびＲＡＭ４３は、監視盤４全体を制御する制御部として機能する。プロセッサ４１は、例えば、ＣＰＵなどの演算部である。プロセッサ４１は、ＲＯＭ４２又は記憶部４４が記憶するプログラムを実行することにより種々の処理機能を実現する。ＲＯＭ４２は、不揮発性のメモリであり、プログラムメモリとして機能する。ＲＯＭ４２は、プロセッサ４１が実行するプログラムや制御データなどを記憶する。ＲＡＭ４３は、一時的にデータを保持するワーキングメモリとして機能する。ＲＡＭ４３は、プログラムをロードしたり、プロセッサ４１が処理中のデータを保持したりする。ＲＡＭ４３は、通信データなどを一時的に保持するバッファメモリとしても機能する。
【００２７】
記憶部４４は、データを記憶するメモリである。記憶部４４は、ＨＤＤ或はＳＳＤなどの書換え可能な不揮発性メモリを含む。記憶部４４は、簡易改札機３から取集する情報又は上位サーバ１から受信するデータを記憶する。  
第１通信部４５は、上位サーバ１と通信するための通信インターフェースである。第２通信部４６は、各簡易改札機３と通信するための通信インターフェースである。第１通信部４５及び第２通信部４６は、１つの通信インターフェースで構成しても良い。
【００２８】
次に、撮影装置５の構成について説明する。  
図６は、撮影装置５の構成例を示すブロック図である。  
図６に示すように、撮影装置５は、プロセッサ５１、ＲＯＭ５２、ＲＡＭ５３、記憶部５４、通信部４５、撮影部５６、クロック５７などを有する。  
プロセッサ５１、ＲＯＭ５２およびＲＡＭ５３は、装置全体を制御する制御部として機能する。プロセッサ５１は、例えば、ＣＰＵなどの演算部である。プロセッサ５１は、ＲＯＭ５２又は記憶部５４が記憶するプログラムを実行することにより種々の処理機能を実現する。ＲＯＭ５２は、不揮発性のメモリであり、プログラムメモリとして機能する。ＲＯＭ５２は、プロセッサ５１が実行するプログラムや制御データなどを記憶する。ＲＡＭ５３は、一時的にデータを保持するワーキングメモリとして機能する。ＲＡＭ５３は、プログラムをロードしたり、プロセッサ５１が処理中のデータを保持したりする。ＲＡＭ５３は、通信データなどを一時的に保持するバッファメモリとしても機能する。
【００２９】
記憶部５４は、データを記憶するメモリである。記憶部５４は、ＨＤＤ或はＳＳＤなどの書換え可能な不揮発性メモリを含む。例えば、記憶部５４は、撮影部５６が撮影する映像を時間情報と共に記憶する。  
通信部５５は、上位サーバ１と通信するための通信インターフェースである。  
撮影部５６は、画像を撮影する。撮影部５６は、簡易改札機３が設けられている改札口の画像を撮影する。例えば、撮影部５６は、所定のフレームレート（撮影間隔）で画像を撮影する。簡易改札機３が入退場口としての改札用の通路を形成する構成であれば、撮影部５６は、改札用の通路を通行する人物を撮影するように設置される。簡易改札機３が改札用の通路を形成する構成でない場合（例えば、駅のホームへの入退場口などに設置され、簡易改札機３の周囲が入退場口となる場合）、撮影部５６は、簡易改札機３の周囲を撮影するように構成される。  
クロック５７は、現在時刻を計時する。クロック５７が計時する時刻は、プロセッサ５１が適宜参照できるように構成される。
【００３０】
なお、撮影装置５が具備する機能は、運用形態などに応じて設計される。例えば、撮影装置５は、撮影部５６が撮影する画像とクロック５７が計時する時刻情報とを対応づけた情報を上位サーバ１へ転送する。また、撮影装置５は、撮影部５６が撮影した画像から人物又は人物の顔を検出し、人物が検出できた画像に時刻情報を対応づけた情報を上位サーバ１へ転送するようにしても良い。この場合、撮影装置５は、プロセッサ５１により撮影部５６が撮影した画像から人物を検出する機能を具備する。プロセッサ５１が人物を検出する機能は、顔検出処理で実現しても良いし、シルエット検出処理で実現しても良い。また、撮影装置５は、特定人物の顔照合用の辞書データ（特定人物の顔情報）を記憶部に記憶しておき、プロセッサ５１による特定の人物の顔照合を行う機能を持たせても良い。
【００３１】
以下、上述したような構成を有する改札システムにおける第１乃至第４の実施形態について説明する。  
（第１の実施形態）
次に、改札システムにおける第１の実施形態について説明する。  
第１の実施形態では、簡易改札機３が人間検知センサ３７を具備し、簡易改札機３が券媒体に対する改札処理と人間検知センサにより人間を検知する人検知処理とに基づいて無札通行（券媒体の提示無しでの通行）およびＮＧ通行（判定不可（ＮＧ）となったままでの通行）を検知する。また、第１の実施形態に係る簡易改札機３は、無札通行を検知した場合、履歴情報として無札通行が発生した時刻を含む無札情報を生成し、生成した無札情報を監視盤４を介して上位サーバ１へ転送する。
【００３２】
また、第１の実施形態では、撮影装置５は、簡易改札機３の周囲を撮影し、撮影した映像をクロックが計時する時刻に対応づけた映像情報として上位サーバ１へ送信する。上位サーバ１では、簡易改札機３からの無札情報と撮影装置５からの映像情報とに基づいて、無札通行時の映像を抽出する。さらに、上位サーバ１は、抽出した無札通行時の映像により無札者を特定したり、無札通行を繰り返す常習者を特定したりする機能を有する。
【００３３】
また、第１の実施形態に係る簡易改札機３は、簡易改札機３が券媒体に対する改札処理と人間検知センサにより人間を検知する人検知処理とに基づいてＮＧ通行（判定不可（ＮＧ）となったままでの通行）を検知するようにしても良い。第１の実施形態に係る簡易改札機３は、ＮＧ通行を検知した場合、履歴情報としてＮＧ通行が発生した時刻を含むＮＧ通行情報を生成し、生成したＮＧ通行情報を監視盤４を介して上位サーバ１へ転送する。第１の実施形態に係る上位サーバ１は、簡易改札機３からのＮＧ通行情報と撮影装置５からの映像情報とに基づいて、ＮＧ通行時の映像を抽出し、抽出した無札通行時の映像により無札者を特定したり、無札通行を繰り返す常習者を特定したりする。
【００３４】
次に、第１の実施形態における簡易改札機３の動作例について説明する。  
図７は、第１の実施形態における簡易改札機３の動作例を説明するためのフローチャートである。  
第１の実施形態に係る簡易改札機３のプロセッサ３１は、通常動作時において、券処理部３６により利用者が提示する券媒体を受付けるとともに、人間検知センサ３７による人物の検知を行っている。例えば、券処理部３６としてのカードＲＷは、応答要求信号を発信し、所定の通信領域に提示されるＩＣカードからの応答を受付ける。利用者が券媒体としてのＩＣカードを通信領域に提示すると、券処理部３６としてのカードＲＷは、利用者が提示したＩＣカードとの通信を開始する。これにより、簡易改札機３のプロセッサ３１は、利用者が提示したＩＣカードを検知する。
【００３５】
券媒体を検知すると（Ｓ１、ＹＥＳ）、簡易改札機３のプロセッサ３１は、券処理部３６により当該券媒体に記録されている改札処理に用いる情報（乗車券情報）を読み取る（Ｓ２）。券媒体から情報を読み取ると、プロセッサ３１は、当該券媒体に対する通行判定として、券媒体から読み取った情報に基づいて当該利用者の通行の可否を判定する（Ｓ３）。通行判定の結果が得られると、プロセッサ３１は、通行判定の結果に応じた改札処理を実行する（Ｓ４）。例えば、入場を許可すると判定した場合、プロセッサ３１は、券処理部３６を用いて当該券媒体に入場状態であることを示す情報を記録する。また、ＳＦ（ストアードフェア）カードとしての券媒体から利用料金を引き去ることにより通行を許可する場合、プロセッサ３１は、券処理部３６を用いて当該券媒体から利用料金分を引き去る処理を行う。また、通行を不可と判定した場合、プロセッサ３１は、通行不可である旨を利用者に報知するなどの改札処理を行う。
【００３６】
改札処理を実行すると共に、簡易改札機３のプロセッサ３１は、当該券媒体を提示した利用者を人間検知センサ３７により検知したかを判断する（Ｓ５）。当該券媒体を提示した利用者を人間検知センサ３７により検知した場合（Ｓ５、ＹＥＳ）、プロセッサ３１は、当該券媒体に対する通行判定が通行可（判定ＯＫ）と判定されているかを判断する（Ｓ６）。人間検知センサ３７が検知した人物が通行可と判定されていると判断した場合（Ｓ６、ＹＥＳ）、プロセッサ３１は、通行可と判定した旨の情報と当該改札処理を実行した時刻とを対応づけた改札処理の履歴情報（改札処理情報）を生成し、生成した改札処理情報を記憶部３４又はＲＡＭ３３に記録する（Ｓ７）。
【００３７】
また、人間検知センサ３７が検知した人物が通行不可（判定ＮＧ）と判定されていると判断した場合（Ｓ６、ＮＯ）、プロセッサ３１は、当該人物が通行不可となったままで通行（ＮＧ通行）したものと判断する。ＮＧ通行と判断した場合、プロセッサ３１は、ＮＧ通行を示す情報と当該改札処理を実行した時刻とを対応づけた改札処理情報としてのＮＧ通行情報を生成し、生成したＮＧ通行情報を記憶部３４（又はＲＡＭ３３）に記録する（Ｓ８）。例えば、ＮＧ通行情報は、ＮＧ通行が発生した時刻（日時）、ＮＧ通行が発生した駅、ＮＧ通行が発生した簡易改札機の識別情報（号機）などを示す情報を含む情報である。
【００３８】
また、簡易改札機３のプロセッサ３１は、券媒体の検知の有無に関わらず、人間検知センサ３７による人物の検知結果を監視する。これにより、券媒体を検知することなく、人物を検知した場合、つまり、券媒体を提示していない人物を人間検知センサ３７が検知した場合（Ｓ９，ＹＥＳ）、プロセッサ３１は、検知した人物が無札者であり、無札通行が発生したと判断する。無札通行が発生したと判断すると、プロセッサ３１は、無札通行が発生したことを示す情報と当該無札通行が発生（検知）した日時とを対応づけた改札処理情報としての無札情報を生成し、生成した無札情報を記憶部３４（又はＲＡＭ３３）に記録する（Ｓ１０）。例えば、無札情報は、無札通行が発生した時刻（日時）、無札通行が発生した駅、無札通行が発生した簡易改札機の識別情報（号機）などを示す情報を含む情報である。
【００３９】
また、簡易改札機３のプロセッサ３１は、改札処理情報の送信条件を満たしたか否かをチェックし、送信条件を満たすごとに記憶部３４に記憶した改札処理情報としての無札情報及びＮＧ通行情報を上位装置へ送信する。例えば、プロセッサ３１は、所定の周期ごとに、無札情報及びＮＧ通行情報を上位装置としての監視盤４へ送信する。また、プロセッサ３１は、無札情報又はＮＧ通行情報を生成するごとに、生成した情報を監視盤４へ送信するようにしても良い。また、プロセッサ３１は、監視盤４又は上位サーバ１からの要求に応じて無札情報及びＮＧ通行情報を監視盤４へ送信するようにしても良い。これに対して、監視盤４は、簡易改札機３からの履歴情報を上位サーバ１へ転送する。また、監視盤４は、簡易改札機３からの履歴情報を記憶部４４に保持するようにしても良い。すなわち、簡易改札機３のプロセッサ３１は、無札情報を送信すると判断した場合（Ｓ１１、ＹＥＳ）、無札情報を監視盤４へ送信し（Ｓ１２）、ＮＧ通行情報を送信するタイミングであると判断した場合（Ｓ１３、ＹＥＳ）、ＮＧ通行情報を監視盤４へ送信する（Ｓ１４）。
【００４０】
上記のように、第１の実施形態に係る簡易改札機は、上記Ｓ１−Ｓ１４の処理を繰り返し実行することにより、無札情報及びＮＧ通行情報を生成する処理と生成した無札情報及びＮＧ通行情報を上位装置へ送信する処理とを継続的に実施する。これにより、監視盤あるいは上位サーバは、簡易改札機で検出された無札通行を示す無札情報およびＮＧ通行を示すＮＧ通行情報を取得できる。
【００４１】
次に、第１の実施形態における撮影装置５の動作例について説明する。  
図８は、第１の実施形態における撮影装置５の動作例を説明するためのフローチャートである。  
第１の実施形態に係る撮影装置５は、簡易改札機３が設置された入退場口としての通路を通行する人物を撮影するための撮影部（カメラ）を有する。撮影装置５は、監視カメラとして、常時、所定のフレームレートで通路を含む撮影範囲を撮影するものとする。ただし、撮影装置５は、別途設けたセンサなどにより人物を検知した場合に通路の撮影を行うものであっても良い。
【００４２】
すなわち、撮影装置５のプロセッサ５１は、撮影部５６により通路を含む撮影範囲を撮影する（Ｓ２１）。プロセッサ５１は、撮影部５６により撮影した画像（映像）を時刻（タイムスタンプ）と対応づけた映像情報として記憶部５４に記録する（Ｓ２２）。また、プロセッサ５１は、映像情報に、撮影時刻（日時）だけでなく、撮影した駅、撮影部５６の撮影範囲にある簡易改札機３を示す識別情報（号機）などの情報の付与するようにしても良い。
【００４３】
プロセッサ５１は、所定の転送条件を満したか否かにより、記憶部５４に蓄積した映像情報を上位装置へ送信するか否かを判断する（Ｓ２３）。例えば、プロセッサ５１は、所定の期間ごとに、映像情報を上位サーバ１へ送信するようにしても良いし、上位サーバ１からの要求に応じて映像情報を送信するようにしても良い。なお、映像情報を可搬性の記憶媒体（携帯可能な記憶媒体）に記憶し、上位サーバ１は、当該可搬性の記憶媒体から映像情報を読取（取得）するようにしても良い。
【００４４】
映像情報を転送すると判断した場合（Ｓ２３、ＹＥＳ）、プロセッサ５１は、記憶部５４に記憶した映像情報を上位装置としての上位サーバ１へ送信する（Ｓ２４）。また、プロセッサ５１は、映像情報を監視盤４へ送信するようにしても良い。この場合、監視盤４は、撮影装置５からの映像情報を上位サーバ１へ転送するようにしても良いし、監視盤４の記憶部４４に保持するようにしても良い。
【００４５】
上記のように、第１の実施形態に係る撮影装置は、Ｓ２１−Ｓ２４の処理を繰り返し実行することにより、入退場口（通路）を含む撮影範囲を撮影した映像と撮影した時刻とを対応づけた映像情報を生成し、生成した映像情報を上位サーバ１あるいは監視盤４へ転送する。これにより、上位サーバ１あるいは監視盤４は、撮影装置５から簡易改札機３が設置された入退場口としての通路を撮影した映像と映像の撮影時刻（タイムスタンプ）とを含む映像情報を取得できる。
【００４６】
次に、第１の実施形態に係る上位サーバ１による無札者の検出処理について説明する。  
図９は、第１の実施形態に係る上位サーバ１における無札者の検出処理の例を説明するためのフローチャートである。  
第１の実施形態に係る上位サーバ１は、簡易改札機３からの無札情報と撮影装置５からの映像情報とにより無札通行時の映像を抽出する。さらに、上位サーバ１は、無札通行時の映像から無札者の特定、および、無札の常習者の特定などの処理（無札者の検出処理）を実行する場合の動作例について説明するものとする。
【００４７】
第１の実施形態に係る上位サーバ１のプロセッサ１１は、通信部１５により監視盤４から簡易改札機３の履歴情報としての改札処理情報（無札情報及びＮＧ通行情報）を受信する（Ｓ３１）。また、上位サーバ１のプロセッサ１１は、通信部１５により撮影装置５から映像情報を受信する（Ｓ３２）。履歴情報および映像情報は、所定のタイミングで取得するようにしても良いし、任意のタイミングで受信するようにしても良い。簡易改札機からの履歴情報および映像装置からの映像情報は、記憶部１４に記憶される。
【００４８】
簡易改札機３からの履歴情報を取得した後、上位サーバ１のプロセッサ１１は、取得した履歴情報から無札情報を抽出する（Ｓ３３）。また、無札情報を抽出した場合（Ｓ３４、ＹＥＳ）、プロセッサ１１は、抽出した無札情報から無札通行を検知した日時（時刻）を特定する。無札通行した日時を特定すると、プロセッサ１１は、特定した無札通行した日時に基づいて当該無札通行時の映像を映像情報から抽出する（Ｓ３５）。また、プロセッサ１１は、無札通行した日時を基準とした所定の時間帯（例えば、無札者を検知した時刻の前後の所定時間分）の映像を映像情報から抽出するようにしても良い。
【００４９】
無札通行時の映像を抽出すると、プロセッサ１１は、抽出した無札通行時の映像から人物（無札者）を特定するための人物特定情報を抽出し、抽出した人物特定情報により無札者として検出された人物を特定する人物特定処理を行う（Ｓ３６）。人物特定処理は、特定の手法に限定されるものではない。例えば、人物特定処理としては、顔照合が適用できる。顔照合により人物を特定する場合、プロセッサ１１は、映像から人物の顔画像を検出し、検出した顔画像から得られる顔の特徴量を人物特定情報として抽出する。さらに、プロセッサ１１は、人物特定情報として抽出した顔の特徴量と予め記憶部１４に記憶されている登録者の顔の特徴量との照合（顔照合）を行う。ここで、予め記憶部１４に顔の特徴量を記憶する登録者（照合対象の人物）は、別途選別した不審者であっても良いし、過去に無札者と判定された人物であっても良い。
【００５０】
無札者として検出された人物特定処理の結果を得られると、プロセッサ１１は、抽出した映像とともに人物特定処理の結果を記憶部１４に記録する（Ｓ３７）。例えば、特定の人物（登録者）であると判定された場合、プロセッサ１１は、特定された人物を示す情報を記憶する。また、特定の人物であることが判定できなかった場合、プロセッサ１１は、無札者として検出された人物が特定の人物として判定されなかった旨を記憶する。
【００５１】
また、人物特定処理を実行すると、プロセッサ１１は、人物特定処理の結果を加えて、抽出した無札情報を集計する（Ｓ３８）。プロセッサ１１は、無札情報を集計したデータを処理結果として記憶部１４などに蓄積する。例えば、プロセッサ１１は、無札通行が発生した駅、無札通行が発生した簡易改札機、あるいは、無札通行が発生した時間帯ごとの無札通行の発生回数を集計する。また、無札者が特定できている場合、プロセッサ１１は、特定された人物が無札通行を行った回数などを集計し、集計した情報と当該人物の画像とを集計データとして記憶する。
【００５２】
また、プロセッサ１１は、人物特定処理により無札者が特定できた場合、特定された当該人物（無札者）が無札通行を行った回数により、無札通行を繰り返し行っている常習者であるかを判断する（Ｓ３９）。検出した無札者が常習者であると判断した場合（Ｓ３９、ＹＥＳ）、プロセッサ１１は、無札の常習者を検出した旨の警報を報知する（Ｓ４０）。例えば、プロセッサ１１は、常習者の映像（顔画像）などを出力装置２（プリンタ２Ａ、表示装置２Ｂ）により出力することにより、出力装置２が常習者の映像を表示した状態で警報を報知するようにしても良い。また、プロセッサ１１は、常習者を判定された人物を検知した簡易改札機３が接続される監視盤４に警報を通知し、監視盤４が常習者の警報を報知するようにしても良い。
【００５３】
また、履歴情報から抽出される無札情報が無くなった場合（Ｓ３４、ＮＯ）、プロセッサ１１は、記憶部１４に蓄積した無札情報の集計結果（処理結果）を出力装置２により出力し（Ｓ４１）、無札者の検出処理を終了する。例えば、プロセッサ１１は、無札情報の集計結果をプリンタ２Ａにより用紙にプリントした表示装置２Ｂが表示したりすることにより、無札通行の発生状況をまとめたデータを提示することが可能となる。
【００５４】
上記のような無札者の検出処理によれば、第１の実施形態に係る上位サーバは、人間検知センサを具備した簡易改札機が検出した無札通行した人物（無札者）に関する無札情報を取得できる。これにより、上位サーバは、無札情報を集計したり、撮影装置が撮影した映像情報から無札通行時の映像を抽出したり、抽出した映像から無札通行をした人物を特定することで無札通行の常習者を特定したりすることが可能となる。
【００５５】
なお、撮影装置からの映像情報を監視盤が取得する構成とし、図９に示すような無札者の検出処理を、監視盤が実施するようにしても良い。また、監視盤が無札者の検出処理を実施する場合、監視盤は、無札者の検出結果、無札者の映像、無札通行の常習者の判定結果などを上位サーバへ通知する。これにより、改札システム全体において、無札者を監視することも可能となる。
【００５６】
次に、第１の実施形態に係る上位サーバ１によるＮＧ通行者の検出処理について説明する。  
図１０は、第１の実施形態に係る上位サーバ１によるＮＧ通行者の検出処理の例を説明するためのフローチャートである。  
上述した図９に示すような無札者の検出処理では、無札通行時の映像の抽出、無札者および無札の常習者の特定を行う例について説明したが、第１の実施形態に係る上位サーバ１は、ＮＧ通行時の映像の抽出、ＮＧ通行者の特定およびＮＧ通行の常習者の特定を行うようにしても良い。ここでは、ＮＧ通行時の映像の抽出、ＮＧ通行者の特定、および、ＮＧ通行の常習者の特定などを行う処理（ＮＧ通行者の検出処理）を上位サーバ１が実行する場合の動作例について説明する。
【００５７】
図１０に示すように、第２の実施形態に係る上位サーバ１のプロセッサ１１は、監視盤４から簡易改札機３の履歴情報（ＮＧ通行情報を含む改札処理情報）を受信し（Ｓ５１）、撮影装置５から映像情報を受信する（Ｓ５２）。簡易改札機からの履歴情報を取得した後、プロセッサ１１は、履歴情報からＮＧ通行情報を抽出する（Ｓ５３）。ＮＧ通行情報を抽出した場合（Ｓ５４、ＹＥＳ）、プロセッサ１１は、抽出したＮＧ通行情報からＮＧ通行を検知した日時（ＮＧ通行した時刻）を特定する。ＮＧ通行した時刻を特定すると、プロセッサ１１は、特定したＮＧ通行した時刻に基づいてＮＧ通行時の映像（ＮＧ通行者の映像）を映像情報から抽出する（Ｓ５５）。例えば、プロセッサ１１は、ＮＧ通行者を検知した時刻を基準とした所定の時間帯の映像を映像情報から抽出する。
【００５８】
ＮＧ通行時の映像を抽出すると、プロセッサ１１は、抽出したＮＧ通行時の映像からＮＧ通行者を特定するための人物特定情報を抽出し、抽出した人物特定情報によりＮＧ通行者として検出された人物を特定する人物特定処理を行う（Ｓ５６）。この人物特定処理も、映像からＮＧ通行者としての人物を特定できる処理であれば良く、特定の方式に限定されるものではない。例えば、ＮＧ通行者を特定するための人物特定処理には、顔照合処理などの人物特定処理が適用できる。  
ＮＧ通行者に対する人物特定処理の結果を得られると、プロセッサ１１は、抽出したＮＧ通行時の映像と共に人物特定処理の結果を記憶部１４に記録する（Ｓ５７）。
【００５９】
人物特定処理を実行すると、プロセッサ１１は、人物特定処理の結果を加えて、抽出したＮＧ通行情報を集計する（Ｓ５８）。プロセッサ１１は、ＮＧ通行情報を集計したデータを処理結果として記憶部１４に記憶する。例えば、プロセッサ１１は、ＮＧ通行が発生した駅、ＮＧ通行が発生した簡易改札機、あるいは、ＮＧ通行が発生した時間帯ごとのＮＧ通行の発生回数を集計する。また、ＮＧ通行者が特定できている場合、プロセッサ１１は、特定された人物がＮＧ通行を行った回数などを集計し、集計した情報とＮＧ通行した人物の映像とを記憶部１４に記憶するようにしても良い。
【００６０】
また、プロセッサ１１は、人物特定処理によりＮＧ通行者が特定できた場合、特定された当該人物（ＮＧ通行者）がＮＧ通行を行った回数により、ＮＧ通行を繰り返し行っている常習者であるかを判断する（Ｓ５９）。当該人物がＮＧ通行の常習者であると判断した場合（Ｓ５９、ＹＥＳ）、プロセッサ１１は、ＮＧ通行の常習者を検出した旨の警報を報知する（Ｓ６０）。例えば、プロセッサ１１は、ＮＧ通行の常習者の警告と共に、常習者として検出した人物の映像（顔画像）などを出力装置２により出力する。これにより、出力装置２としてプリンタ２Ａ或は表示装置２Ｂは、常習者の映像を表示するとともに警報を報知することができる。また、プロセッサ１１は、常習者と判定した人物がＮＧ通行した簡易改札機３が接続される監視盤４に警報を通知するようにしても良い。この場合、監視盤４が、ＮＧ通行の常習者が検出された旨の警報を報知するようにしても良い。
【００６１】
また、簡易改札機３からの履歴情報から抽出されるＮＧ通行情報が無くなった場合（Ｓ５４、ＮＯ）、プロセッサ１１は、記憶部１４に蓄積したＮＧ通行情報の集計結果（処理結果）を出力装置２により出力し（Ｓ６１）、ＮＧ通行者の検出処理を終了する。例えば、プロセッサ１１は、ＮＧ通行情報の集計結果をプリンタ２Ａにより用紙にプリントさせたり表示装置２Ｂに表示させたりすることにより、ＮＧ通行の発生状況をまとめたデータを提示することが可能となる。
【００６２】
上記のようなＮＧ通行者の検出処理によれば、第１の実施形態に係る上位サーバは、簡易改札機が設置される場所（簡易改札駅）において通行不可と判定された状態のままで通行した人物（ＮＧ通行者）を検出することができる。この結果、上位サーバは、撮影装置が撮影した映像情報からＮＧ通行者の映像を抽出したり、抽出した映像からＮＧ通行をした人物を特定することでＮＧ通行の常習者を特定したりすることが可能となる。
【００６３】
なお、撮影装置からの映像情報を監視盤が取得する構成とし、図１０に示すような第２の動作例（ＮＧ通行者の検出処理）を、監視盤が実施するようにしても良い。この場合、監視盤は、ＮＧ通行者の検出結果、ＮＧ通行者の映像、ＮＧ通行の常習者の判定結果などを上位サーバへ通知する。これにより、改札システム全体において、ＮＧ通行者を監視することも可能となる。
【００６４】
また、上位サーバ１は、図１０に示すＮＧ通行者の検出処理を上述した図９に示す無札者の検出処理と共に実施するようにして良い。上位サーバ１がＮＧ通行者の検出処理と無札者の検出処理とを共に実施することにより、第１の実施形態に係る改札システムは、簡易改札機３が設置される場所（簡易改札駅）において、無札者だけでなく、ＮＧ通行者を検出することができる。この結果として、第１の実施形態に係る改札システムは、簡易改札機３が設置される場所での無札者及びＮＧ通行者の映像を抽出及び記録したり、無札者およびＮＧ通行者の常習者を特定したりすることが可能となる。
【００６５】
（第２の実施形態）
次に、第２の実施形態に係る改札システムについて説明する。  
第２の実施形態に係る改札システムでは、簡易改札機３が人間検知センサ３７を具備するものとする。また、第２の実施形態に係る簡易改札機３は、券媒体に対する改札処理と人間検知センサによる人間を検知する人検知処理とをそれぞれ別々の処理として実施するものとする。つまり、第２の実施形態に係る簡易改札機３は、改札処理と人間検知センサによる人間検知とを組み合わせた無札通行およびＮＧ通行などの判定を行わないものとする。
【００６６】
すなわち、第２の実施形態に係る簡易改札機３は、履歴情報として、利用者が提示する券媒体に対する改札処理の結果と当該改札処理を実行した時刻とを対応づけた改札処理情報と人間検知センサ３７による人の検知結果と当該人物を検知した時刻とを対応づけた人検知情報とを生成し、生成した履歴情報（改札処理情報と人検知情報）を監視盤４を介して上位サーバ１へ送信する。これにより、第２の実施形態に係る改札システムでは、上位サーバ１が、簡易改札機３からの履歴情報（改札処理情報および人検知情報）に基づいて、無札通行およびＮＧ通行などの判定（無札者およびＮＧ通行者の検出）を行う。
【００６７】
また、第２の実施形態に係る上位サーバ１は、簡易改札機３からの履歴情報に基づいて無札通行を検出し、検出した無札通行時の映像を撮影装置５からの映像情報から抽出する。さらに、上位サーバ１は、抽出した無札通行時の映像に基づいて、無札者の特定、および、無札通行の常習者の特定を行う。また、上位サーバ１は、簡易改札機３からの履歴情報に基づいてＮＧ通行を検出し、検出したＮＧ通行時の映像を撮影装置５からの映像情報から抽出する。この場合も、上位サーバ１は、ＮＧ通行者の特定、および、ＮＧ通行の常習者の特定を行う。
【００６８】
次に、第２の実施形態における簡易改札機３の動作例について説明する。  
図１１は、第２の実施形態における簡易改札機３の動作例を説明するためのフローチャートである。  
第２の実施形態に係る簡易改札機３は、利用者が提示する券媒体に対する改札処理と人間検知センサ３７による人物の検知処理とをそれぞれ実行する。すなわち、第２の実施形態に係る簡易改札機３では、通常動作時において、券処理部３６により利用者が提示する券媒体を受付けるとともに、人間検知センサ３７による人物の検知を行っている。
【００６９】
利用者が提示する券媒体を検知した場合（Ｓ２１１、ＹＥＳ）、簡易改札機３のプロセッサ３１は、券処理部３６により当該券媒体に記録されている改札処理に用いる情報（乗車券情報）を読み取る（Ｓ２１２）。券媒体から情報を読み取ると、プロセッサ３１は、当該券媒体から読み取った情報に基づいて当該利用者の通行の可否を判定する（Ｓ２１３）。通行判定の結果が得られると、プロセッサ３１は、通行判定の結果に応じた改札処理を実行する（Ｓ２１４）。改札処理を実行すると、簡易改札機３のプロセッサ３１は、履歴情報として、改札処理の結果と改札処理を実行した時刻（日時）とを対応づけた改札処理の履歴情報（改札処理情報）を生成し、生成した改札処理情報を記憶部３４（又はＲＡＭ３３）に記録する（Ｓ２１５）。例えば、改札処理情報は、処理結果及び時刻だけでなく、改札処理を実行した駅、改札処理を実行した簡易改札機３を示す識別情報（号機）などの情報を含む情報である。
【００７０】
また、簡易改札機３のプロセッサ３１は、Ｓ２１１−Ｓ２１５の処理とは独立して、人間検知センサ３７からの検知信号に基づいて人間を検知する。プロセッサ３１は、人間検知センサ３７からの検知信号に基づいて、通路（入退場口）を通行する人間を検知したか否かを判断する（Ｓ２１６）。人間検知センサ３７により人間を検知した場合（Ｓ２１６、ＹＥＳ）、プロセッサ３１は、履歴情報として、人物を検知したことを示す検知結果と当該人物を検知した時刻とを対応づけた人検知履歴情報（人検知情報）を生成し、生成した人検知情報を記憶部３４（又はＲＡＭ３３）に記録する（Ｓ２１７）。例えば、人検知情報は、人物を検知した時刻（日時）、駅、人を検知した簡易改札機３を示す識別情報（号機）および設置駅などの情報を含む情報である。
【００７１】
また、簡易改札機３のプロセッサ３１は、所定の転送条件に基づいて、履歴情報（改札処理情報と人検知情報）を上位装置へ送信するか否かを判断する（Ｓ２１８）。プロセッサ３１は、履歴情報を上位装置へ送信すると判断した場合（Ｓ２１８、ＹＥＳ）、上位装置へ履歴情報を送信する（Ｓ２１９）。例えば、プロセッサ３１は、所定の周期ごとに、履歴情報を上位装置としての監視盤４へ送信する。また、プロセッサ３１は、履歴情報を生成するごとに監視盤４へ履歴情報を送信するようにしても良い。これに対して、監視盤４は、簡易改札機３からの履歴情報を上位サーバ１へ転送するようにしても良いし、監視盤４の記憶部４４に保持するようにしても良い。
【００７２】
簡易改札機３のプロセッサ３１は、Ｓ２１１−Ｓ２１９の処理を繰り返し実行することにより、利用者が提示する券媒体による改札処理、入退場口を通行する人物の検知処理、および、改札処理情報と人検知情報とを含む履歴情報を上位装置へ転送する処理を継続的に実施する。これにより、監視盤４あるいは上位サーバ１は、簡易改札機３での改札処理および人物検知の結果を履歴情報として取得できる。
【００７３】
次に、第２の実施形態における撮影装置５の動作例について説明する。  
第２の実施形態に係る撮影装置５は、第１の実施形態において説明した図８に示す動作例と同様な動作を行うもので良い。すなわち、撮影装置５のプロセッサ５１は、撮影部５６により簡易改札機３が設置された入退場口としての通路を含む撮影範囲を撮影する。プロセッサ５１は、撮影部５６により撮影した画像（映像）を時刻（タイムスタンプ）と対応づけた映像情報として記憶部５４に記録する。プロセッサ５１は、映像情報の転送条件を満すと、記憶部５４に記憶した映像情報を上位装置としての上位サーバ１へ送信する。なお、映像情報は、監視盤４へ送信するようにしても良い。  
このような動作により、第２の実施形態に係る上位サーバ１あるいは監視盤４は、撮影装置５から簡易改札機３が設置された入退場口としての通路を撮影した映像と撮影時刻とを含む映像情報を取得できる。
【００７４】
次に、第２の実施形態に係る上位サーバ１による無札者の検出処理について説明する。  
図１２は、第２の実施形態に係る上位サーバ１における無札者の検出処理の例を説明するためのフローチャートである。  
第２の実施形態に係る上位サーバ１は、簡易改札機３からの履歴情報と撮影装置５からの映像情報とにより無札通行時の映像を抽出する。ここでは、第２の実施形態としての上位サーバ１が実施する無札通行時の映像の抽出、無札者の特定、および、無札の常習者の特定などを含む処理（無札者の検出処理）について説明するものとする。  
すなわち、上位サーバ１のプロセッサ１１は、通信部１５により監視盤４から簡易改札機３の履歴情報（改札処理情報および人検知情報）を受信する（Ｓ２３１）。また、上位サーバ１のプロセッサ１１は、通信部１５により撮影装置５から映像情報を受信する（Ｓ２３２）。履歴情報および映像情報は、所定のタイミングで取得するようにしても良いし、任意のタイミングで受信するようにしても良い。簡易改札機３からの履歴情報および撮影装置からの映像情報は、記憶部１４に記憶される。
【００７５】
履歴情報を取得すると、プロセッサ１１は、取得した履歴情報に含まれる改札処理情報と人検知情報とにより無札で通行した人物（無札者）を検出する（Ｓ２３３）。例えば、プロセッサ１１は、時刻などに基づいて改札処理情報と人検知情報とを対応づけて、人間検知センサで検知した人物が改札処理を実行していたかを判定する。この判定により、プロセッサ１１は、改札処理を実行していない人物を人間検知センサ３７が検知したこと検出されると、当該人物が無札通行したものと判断する。
【００７６】
履歴情報から無札通行を検出した場合（Ｓ２３４、ＹＥＳ）、プロセッサ１１は、検出した無札通行時の映像を映像情報から抽出する（Ｓ２３５）。例えば、プロセッサ１１は、無札通行したと判断される人物（無札者）を人間検知センサ３７が検知した時刻を人検知情報から特定し、特定した当該無札者を検知した時刻を基準とする所定の時間帯（例えば、無札者を検知した時刻の前後の所定時間分）の映像を映像情報から抽出する。また、プロセッサ１１は、当該無札者を検知した時刻の画像を映像情報から抽出するようにしても良い。
【００７７】
無札通行時の映像を抽出すると、プロセッサ１１は、抽出した無札通行時の映像から人物（無札者）を特定するための人物特定情報を抽出し、抽出した人物特定情報により無札者として検出された人物を特定する人物特定処理を行う（Ｓ２３６）。人物特定処理は、Ｓ３６と同様に、映像から無札者としての人物を特定できる処理であれば良く、特定の方式に限定されるものではない。例えば、無札者を特定するための人物特定処理には、顔照合処理などの人物特定処理が適用できる。  
無札者として検出された人物の特定処理結果が得られると、プロセッサ１１は、抽出した無札通行時の映像と共に人物特定処理の結果を記憶部１４に記録する（Ｓ２３７）。
【００７８】
無札者に対する人物特定処理を実行すると、プロセッサ１１は、人物特定処理の結果を含め、抽出した無札情報を集計する（Ｓ２３８）。プロセッサ１１は、無札情報を集計したデータを処理結果として記憶部１４に記憶する。例えば、プロセッサ１１は、無札通行が発生した駅、無札通行が発生した簡易改札機、あるいは、無札通行が発生した時間帯ごとの無札通行の発生回数を集計する。さらに、無札者が特定できた場合、プロセッサ１１は、特定された人物が無札通行を行った回数などを集計し、集計したデータと当該人物の映像とを対応づけて記憶部１４に記録しても良い。
【００７９】
また、プロセッサ１１は、人物特定処理により無札者が特定できた場合、特定された当該人物（無札者）が無札通行を行った回数により、無札通行を繰り返し行っている常習者であるかを判断する（Ｓ２３９）。当該人物が無札通行の常習者であると判断した場合（Ｓ２３９、ＹＥＳ）、プロセッサ１１は、無札通行の常習者を検出した旨の警報を報知する（Ｓ２４０）。例えば、プロセッサ１１は、常習者の映像（顔画像）などを出力装置２としてのプリンタ２Ａ或は表示装置２Ｂにより出力する。これにより、出力装置２は、常習者の映像と共に警報を報知することができる。また、プロセッサ１１は、常習者と判定した人物が無札通行した簡易改札機３が接続される監視盤４に警報を通知するようにしても良い。この場合、監視盤４が、無札通行の常習者が検出された旨の警報を報知するようにしても良い。
【００８０】
また、無札通行として検出できる情報が無くなった場合（Ｓ２３４、ＮＯ）、プロセッサ１１は、記憶部１４に蓄積した無札情報の集計結果（処理結果）を出力装置２により出力し（Ｓ２４１）、無札者の検出処理を終了する。例えば、プロセッサ１１は、無札情報の集計結果の表示（印刷）データを出力装置２へ送信する。これにより、出力装置２としてのプリンタ２Ａが集計結果を用紙にプリントしたり、表示装置２Ｂが集計結果を表示したりすることができ、無札通行の発生状況をまとめたデータを提示することが可能となる。
【００８１】
上記のような無札者の検出処理によれば、第２の実施形態に係る上位サーバは、人間検知センサを具備した簡易改札機が設置される場所（簡易改札駅）において無札通行した人物（無札者）を検出することができる。さらに、上位サーバは、検出した無札通行に関する情報（無札情報）を集計したり、撮影装置が撮影した映像情報からＮＧ通行者の映像を抽出したり、抽出した映像からＮＧ通行をした人物を特定することでＮＧ通行の常習者を特定したりすることが可能となる。
【００８２】
なお、撮影装置からの映像情報を監視盤が取得する構成とし、図１２に示すような無札者の検出処理を、監視盤が実施するようにしても良い。また、監視盤が無札者の検出処理を実施する場合、監視盤は、無札者の検出結果、無札者の映像、無札通行の常習者の判定結果などを上位サーバへ通知する。これにより、改札システム全体において、無札者を監視することも可能となる。
【００８３】
次に、第２の実施形態に係る上位サーバ１によるＮＧ通行者の検出処理について説明する。  
図１３は、第２の実施形態に係る上位サーバ１によるＮＧ通行者の検出処理の例を説明するためのフローチャートである。  
上述の無札者の検出処理では、無札通行時の映像の抽出、無札者および無札の常習者の特定を行う例について説明したが、第２の実施形態に係る上位サーバ１は、通行判定が不可（判定ＮＧ）となったままで人物が通行（ＮＧ通行）した時の映像の抽出、ＮＧ通行者およびＮＧ通行の常習者の特定を行うようにしても良い。ここでは、第２の実施形態としての上位サーバ１が実行するＮＧ通行時の映像の抽出、ＮＧ通行者の特定、および、ＮＧ通行の常習者の特定などを行う処理（ＮＧ通行者の検出処理）について説明する。
【００８４】
図１３に示すように、第２の実施形態に係る上位サーバ１のプロセッサ１１は、監視盤４から簡易改札機３の履歴情報（改札処理情報および人検知情報）を受信し（Ｓ２５１）、撮影装置５から映像情報を受信する（Ｓ２５２）。プロセッサ１１は、履歴情報に含まれる改札処理情報と人検知情報とにより判定ＮＧとなったままで通行した人物（ＮＧ通行者）を検出する（Ｓ２５３）。例えば、プロセッサ１１は、改札処理情報から判定ＮＧとなったものを抽出し、判定ＮＧとなった改札処理の時刻と人検知情報とを対応づけて、判定ＮＧとなったままで通行した人物が人間検知センサ３７で検知されているかを判定する。この判定により、プロセッサ１１は、判定ＮＧとなったままで通行した人物を人間検知センサ３７が検知したことを検出されると、ＮＧ通行があったものと判断する。
【００８５】
ＮＧ通行を検出した場合（Ｓ２５４、ＹＥＳ）、プロセッサ１１は、ＮＧ通行時の映像を映像情報から抽出する（Ｓ２５５）。例えば、プロセッサ１１は、ＮＧ通行したと判断される人物（ＮＧ通行者）を人間検知センサ３７が検知した時刻を人検知情報から判別し、当該ＮＧ通行者を検知した時刻を基準として所定の時間帯の映像を映像情報から抽出する。
【００８６】
ＮＧ通行時の映像を抽出すると、プロセッサ１１は、抽出したＮＧ通行時の映像からＮＧ通行者を特定するための人物特定情報を抽出し、抽出した人物特定情報によりＮＧ通行者として検出された人物を特定する人物特定処理を行う（Ｓ２５６）。人物特定処理は、映像からＮＧ通行者としての人物を特定できる処理であれば良く、特定の方式に限定されるものではない。例えば、ＮＧ通行者を特定するための人物特定処理には、顔照合処理などの人物特定処理が適用できる。  
ＮＧ通行者として検出された人物に対する人物特定処理の結果が得られると、プロセッサ１１は、抽出したＮＧ通行時の映像と共に人物特定処理の結果を記憶部１４に記録する（Ｓ２５７）。
【００８７】
ＮＧ通行者に対する人物特定処理を実行すると、プロセッサ１１は、人物特定処理の結果を含め、抽出したＮＧ通行情報を集計する（Ｓ２５８）。プロセッサ１１は、ＮＧ通行情報を集計したデータを処理結果として記憶部１４に記憶する。例えば、プロセッサ１１は、ＮＧ通行が発生した駅、ＮＧ通行が発生した簡易改札機、あるいは、ＮＧ通行が発生した時間帯ごとのＮＧ通行の発生回数を集計する。また、ＮＧ通行者が特定できた場合、プロセッサ１１は、特定された人物がＮＧ通行を行った回数などを集計し、集計したデータと当該人物の映像とを対応づけて記憶部１４に記録するようにしても良い。
【００８８】
また、プロセッサ１１は、人物特定処理によりＮＧ通行者が特定できた場合、特定された当該人物（ＮＧ通行者）がＮＧ通行を行った回数により、ＮＧ通行を繰り返し行っている常習者であるかを判断する（Ｓ２５９）。当該人物がＮＧ通行の常習者であると判断した場合（Ｓ２５９、ＹＥＳ）、プロセッサ１１は、ＮＧ通行の常習者を検出した旨の警報を報知する（Ｓ２６０）。例えば、プロセッサ１１は、常習者の映像（顔画像）などを出力装置２としてのプリンタ２Ａ或は表示装置２Ｂにより出力する。これにより、出力装置２は、常習者の映像を表示する共に警報を報知することができる。また、プロセッサ１１は、常習者と判定した人物がＮＧ通行した簡易改札機３が接続される監視盤４に警報を通知するようにしても良い。この場合、監視盤４が、ＮＧ通行の常習者が検出された旨の警報を報知するようにしても良い。
【００８９】
また、検出可能なＮＧ通行情報が無くなった場合（Ｓ２５４、ＮＯ）、プロセッサ１１は、記憶部１４に蓄積したＮＧ通行情報の集計結果（処理結果）を出力装置２により出力し（Ｓ２６１）、ＮＧ通行者の検出処理を終了する。例えば、プロセッサ１１は、ＮＧ通行情報の集計結果を印刷又は表示用のデータとして出力装置２へ出力する。これにより、出力装置２としてのプリンタ２Ａが集計結果を用紙にプリントしたり、表示装置２Ｂが集計結果を表示したりすることができ、ＮＧ通行の発生状況をまとめたデータを提示することが可能となる。
【００９０】
上記のようなＮＧ通行者の検出処理によれば、第２の実施形態に係る上位サーバは、簡易改札機が設置される場所（簡易改札駅）において通行不可と判定された状態のままで通行した人物（ＮＧ通行者）を検出することができる。この結果、上位サーバは、ＮＧ通行に関する情報（ＮＧ通行情報）を集計したり、撮影装置が撮影した映像情報からＮＧ通行者の映像を抽出したり、抽出した映像からＮＧ通行をした人物を特定することでＮＧ通行の常習者を特定したりすることが可能となる。
【００９１】
なお、撮影装置からの映像情報を監視盤が取得する構成とし、図１３に示すようなＮＧ通行者の検出処理を、監視盤が実施するようにしても良い。この場合、監視盤は、ＮＧ通行者の検出結果、ＮＧ通行者の映像、ＮＧ通行の常習者の判定結果などを上位サーバへ通知する。これにより、改札システム全体において、ＮＧ通行者を監視することも可能となる。
【００９２】
また、上位サーバは、図１３に示すＮＧ通行者の検出処理を上述した図１２に示す無札者の検出処理と共に実施するようにして良い。上位サーバがＮＧ通行者の検出処理と無札者の検出処理とを共に実施することにより、第２の実施形態に係る改札システムは、簡易改札機３が設置される場所（簡易改札駅）において、無札者だけでなく、ＮＧ通行者の検出することができる。この結果として、第２の実施形態に係る改札システムは、簡易改札機３が設置される場所での無札者及びＮＧ通行者の映像を抽出及び記録したり、無札者およびＮＧ通行者の常習者を特定したりすることが可能となる。
【００９３】
（第３の実施形態）
次に、第３の実施形態に係る改札システムについて説明する。  
第３の実施形態では、簡易改札機３が人間を検知するセンサを具備してない構成であるものとする。つまり、第３の実施形態では、簡易改札機３は、券媒体に対する改札処理機能を有するが、人間を検知する機能を具備しない。このため、第３の実施形態に係る簡易改札機３は、利用者が提示する券媒体に対する改札処理の結果とクロックが計時する時刻とを対応づけた改札処理情報を履歴情報として生成する。簡易改札機３は、生成した履歴情報としての改札処理情報を記憶部に保持し、監視盤４あるいは監視盤４を介して上位サーバ１へ送信する。
【００９４】
また、第３の実施形態に係る撮影装置５は、簡易改札機３の周囲を撮影し、撮影した映像をクロックが計時する時刻に対応づけた映像情報として上位サーバ１へ送信する。第３の実施形態に係る上位サーバ１は、撮影装置５からの映像情報を解析することによって、撮影装置５が撮影した映像から人を検出し、検出した人の撮影時刻に基づいて人検知情報を生成する。上位サーバ１は、簡易改札機からの改札処理情報と、撮影装置からの映像情報と、映像情報から得た人検知情報とに基づいて、無札者の検出処理およびＮＧ通行者の検出処理を行う。
【００９５】
次に、第３の実施形態における簡易改札機３の動作例について説明する。  
図１４は、第３の実施形態における簡易改札機３の動作例を説明するためのフローチャートである。  
上述したように、第３の実施形態に係る簡易改札機３では、通行する人物を検知する機能（人間検知センサ）を具備していないものとする。つまり、第３の実施形態に係る簡易改札機３は、通行する人物を検知する機能無しで、利用者が提示する券媒体に応じた改札処理を実行するものである。
【００９６】
第３の実施形態に係る簡易改札機３では、通常動作時において、券処理部３６により利用者が提示する券媒体を検知する。利用者が提示する券媒体を検知すると（Ｓ３１１、ＹＥＳ）、簡易改札機３のプロセッサ３１は、券処理部３６により当該券媒体に記録されている改札処理に用いる情報（乗車券情報）を読み取る（Ｓ３１２）。券媒体から情報を読み取ると、プロセッサ３１は、当該券媒体から読み取った情報に基づいて当該利用者の通行の可否を判定する（Ｓ３１３）。通行判定の結果が得られると、プロセッサ３１は、通行判定の結果に応じた改札処理を実行する（Ｓ３１４）。改札処理を実行すると、簡易改札機３のプロセッサ３１は、履歴情報として、当該改札処理の結果と当該改札処理を実行した時刻とを対応づけた改札処理の履歴情報（改札処理情報）を生成し、生成した改札処理情報を記憶部３４又はＲＡＭ３３に記録する（Ｓ３１５）。
【００９７】
また、簡易改札機３のプロセッサ３１は、所定の転送条件に基づいて、履歴情報（改札処理情報と人検知情報）を上位装置へ送信するか否かを判断する（Ｓ３１８）。プロセッサ３１は、履歴情報を上位装置へ送信すると判断した場合（Ｓ３１８、ＹＥＳ）、上位装置へ履歴情報を送信する（Ｓ３１９）。これに対し、第３の実施形態に係る監視盤４は、簡易改札機３からの履歴情報を上位サーバ１へ転送するようにしても良いし、監視盤４の記憶部４４に保持するようにしても良い。
【００９８】
上記のように、第３の実施形態に係る簡易改札機３は、Ｓ３１１−Ｓ３１９の処理を繰り返し実行することにより、利用者が提示する券媒体による改札処理、入退場口を通行する人物の検知処理、および、改札処理情報と人検知情報とを含む履歴情報を上位装置へ転送する処理を継続的に実施する。これにより、監視盤４あるいは上位サーバ１は、簡易改札機３での改札処理および人物検知の結果を履歴情報として取得できる。
【００９９】
次に、第３の実施形態における撮影装置５の動作例について説明する。  
第３の実施形態に係る撮影装置５は、第１の実施形態において説明した図８に示す動作例と同様な動作を行うもので良い。すなわち、第３の実施形態に係る撮影装置５のプロセッサ５１は、撮影部５６により簡易改札機３が設置された入退場口としての通路を含む撮影範囲を撮影する。プロセッサ５１は、撮影部５６により撮影した画像（映像）を時刻（タイムスタンプ）と対応づけた映像情報として記憶部５４に記録する。プロセッサ５１は、映像情報の転送条件を満たしたか否かを判定し、映像情報の転送条件を満すと、記憶部５４に記憶した映像情報を上位装置としての上位サーバ１へ送信する。なお、映像情報は、監視盤４へ送信するようにしても良い。
【０１００】
次に、第３の実施形態に係る上位サーバ１による無札者の検出処理について説明する。  
図１５は、第３の実施形態に係る上位サーバ１による無札者の検知処理の例を説明するためのフローチャートである。  
第３の実施形態に係る上位サーバ１は、簡易改札機３からの履歴情報と撮影装置５からの映像情報とにより無札通行時の映像を抽出、無札者の特定、および、無札の常習者の特定などの処理を含む無札者の検出処理を実行する。第３の実施形態では、人間検知センサを具備しない簡易改札機からの履歴情報には人検知情報が含まれない。このため、図１５に示す第３の実施形態における無札者の検出処理は、図１２に示すような第１の実施形態で説明した無札者の検知処理に、映像情報から通路（入退場口）を通過した人物を検知する人検出処理と人検出処理により検出した人を示す人検知情報を生成する処理が追加された処理となる。
【０１０１】
すなわち、第３の実施形態に係る上位サーバ１のプロセッサ１１は、通信部１５により監視盤４から簡易改札機３の履歴情報（改札処理情報）を受信し（Ｓ３３１）、撮影装置５から映像情報を受信する（Ｓ３３２）。映像情報を受信（取得）すると、上位サーバ１のプロセッサ１１は、受信した映像情報に含まれる映像から人物を検出する処理を行う（Ｓ３３３）。プロセッサ１１は、顔検出処理、あるいは、シルエット検出処理などの画像から人物又は人物の一部を検出する処理を用いて映像情報に含まれる映像から人物を検出する処理を実行する。
【０１０２】
例えば、プロセッサ１１は、顔検出処理により人の顔として検出する画像を映像から検出する場合に人を検出したものとしても良い。また、プロセッサ１１１は、シルエット検出処理により人物のシルエットを判別される画像を映像から検出した場合に、人を検出したものとしても良い。また、プロセッサ１１は、通路内を入場方向あるいは出場方向に移動する物体を人として検出するようにしても良い。なお、映像から人物を検出する処理は、特定の手法に限定されるものではない。
【０１０３】
映像情報に含まれる映像から人物を検出すると、プロセッサ１１は、当該人物を検出した画像を撮影した時刻を特定する。人物を検出した画像を撮影した時刻を特定すると、プロセッサ１１は、特定した時刻に人を検知したことを示す人検知情報を生成する（Ｓ３３４）。プロセッサ１１は、Ｓ３３３及びＳ３３４の処理を受信した映像情報に含まれる全ての映像に対して実行し、生成した人検知情報を記憶部１４に記憶する。
【０１０４】
映像情報から人検知情報を生成すると、プロセッサ１１は、簡易改札機３からの履歴情報に含まれる改札処理情報と撮影装置５からの映像情報から生成した人検知情報とにより無札で通行した人物（無札者）を検出する（Ｓ３３５）。例えば、プロセッサ１１は、映像情報から得られた人検知情報と簡易改札機３からの改札処理情報とを対応づけて、検出した各人物が改札処理を実行していたか否かにより無札者を検出する。
【０１０５】
また、無札通行を有りと判断した場合（Ｓ３３６、ＹＥＳ）、プロセッサ１１は、無札通行時の映像を映像情報から抽出する（Ｓ３３７）。例えば、プロセッサ１１は、無札者と判定した人物を撮影した時刻を基準とした所定の時間帯の映像を、無札通行時（無札者）の映像として映像情報から抽出する。
【０１０６】
無札通行時の映像を抽出すると、プロセッサ１１は、抽出した無札通行時の映像から人物（無札者）を特定するための人物特定情報を抽出し、抽出した人物特定情報により無札者として検出された人物を特定する（Ｓ３３８）。人物特定処理は、Ｓ３６と同様に、映像から無札者としての人物を特定できる処理であれば良く、特定の方式に限定されるものではない。例えば、無札者を特定するための人物特定処理には、顔照合処理などの人物特定処理が適用できる。  
無札者として検出された人物の特定処理結果が得られると、プロセッサ１１は、抽出した無札通行時の映像と共に人物特定処理の結果を記憶部１４に記録する（Ｓ３３９）。
【０１０７】
無札者に対する人物特定処理を実行すると、プロセッサ１１は、人物特定処理の結果を含め、抽出した無札情報を集計する（Ｓ３４０）。プロセッサ１１は、無札情報を集計したデータを処理結果として記憶部１４に記憶する。例えば、プロセッサ１１は、無札通行が発生した駅、無札通行が発生した簡易改札機、あるいは、無札通行が発生した時間帯ごとの無札通行の発生回数を集計する。さらに、無札者が特定できた場合、プロセッサ１１は、特定された人物が無札通行を行った回数などを集計し、集計したデータと当該人物の映像とを記憶部１４に記憶するようにしても良い。また、
また、プロセッサ１１は、人物特定処理により無札者が特定できた場合、特定された当該人物（無札者）が無札通行を行った回数により、無札通行を繰り返し行っている常習者であるかを判断する（Ｓ３４１）。当該人物が無札通行の常習者であると判断した場合（Ｓ３４１、ＹＥＳ）、プロセッサ１１は、無札通行の常習者を検出した旨の警報を報知する（Ｓ３４２）。例えば、プロセッサ１１は、常習者の映像（顔画像）などを出力装置２としてのプリンタ２Ａ或は表示装置２Ｂにより出力する。これにより、出力装置２は、常習者の映像を表示するとともに警報を報知することができる。また、プロセッサ１１は、常習者と判定した人物が無札通行した簡易改札機３が接続される監視盤４に警報を通知するようにしても良い。この場合、監視盤４が、無札通行の常習者が検出された旨の警報を報知するようにしても良い。
【０１０８】
また、無札通行として検出できる情報が無くなった場合（Ｓ３３６、ＮＯ）、プロセッサ１１は、記憶部１４に蓄積した無札情報の集計結果（処理結果）を出力装置２により出力し（Ｓ３４３）、無札者の検出処理を終了する。例えば、プロセッサ１１は、無札情報の集計結果を印刷又は表示するためのデータを出力装置２へ出力する。これにより、出力装置２としてのプリンタ２Ａが集計結果を用紙にプリントしたり、表示装置２Ｂが集計結果を表示したりすることにより、無札通行の発生状況をまとめたデータを提示することが可能となる。
【０１０９】
上記のような第３の実施形態における無札者の検知処理によれば、上位サーバは、簡易改札機が設置される場所（簡易改札駅）において無札通行した人物（無札者）を検出することができる。この結果、上位サーバは、無札情報を集計したり、撮影装置が撮影した映像情報から無札者の映像を抽出したり、抽出した映像から無札者を特定したり、無札通行の常習者を特定したりすることが可能となる。
【０１１０】
なお、撮影装置からの映像情報を監視盤が取得する構成とし、図１５に示す無札者の検出処理を監視盤が実施するようにしても良い。この場合、監視盤は、無札者の検出結果、無札者の映像、無札通行の常習者の判定結果などを上位サーバへ通知する。これにより、改札システム全体において、無札者を監視することが可能となる。
【０１１１】
次に、第３の実施形態に係る上位サーバ１におけるＮＧ通行者の検出処理について説明する。  
図１６は、第３の実施形態に係る上位サーバ１におけるＮＧ通行者の検出処理の例を説明するためのフローチャートである。  
第３の実施形態に係る上位サーバ１は、映像情報から得られる人検知情報を用いて、ＮＧ通行時の映像の抽出、ＮＧ通行者の特定、および、ＮＧ通行の常習者の特定などの処理を含むＮＧ通行者の検出処理を行うことができる。
【０１１２】
図１６に示すように、第３の実施形態に係る上位サーバ１のプロセッサ１１は、監視盤４から簡易改札機３の履歴情報（改札処理情報）を受信し（Ｓ３５１）、撮影装置５から映像情報を受信する（Ｓ３５２）。映像情報を受信（取得）すると、上位サーバ１のプロセッサ１１は、上記Ｓ３３３及びＳ３３４と同様な処理により、映像情報からの人物検出処理および人物検出処理に基づく人検知情報の生成を行い（Ｓ３５３、Ｓ３５４）、生成した人検知情報を記憶部１４に記憶する。
【０１１３】
映像情報から人検知情報を生成すると、プロセッサ１１は、映像情報から生成した人検知情報と履歴情報に含まれる改札処理情報とにより判定ＮＧとなったままで通行した人物（ＮＧ通行者）を検出する（Ｓ３５５）。ＮＧ通行を検出した場合（Ｓ３５６、ＹＥＳ）、プロセッサ１１は、検出したＮＧ通行時の映像を映像情報から抽出する（Ｓ３５７）。ＮＧ通行時の映像を抽出すると、プロセッサ１１は、抽出したＮＧ通行時の映像から人物（ＮＧ通行者）を特定するための人物特定情報を抽出し、抽出した人物特定情報によりＮＧ通行者として検出された人物を特定する人物特定処理を行う（Ｓ３５８）。この人物特定処理は、映像からＮＧ通行者としての人物を特定できる処理であれば良く、特定の方式に限定されるものではない。例えば、ＮＧ通行者を特定するための人物特定処理には、顔照合処理などの人物特定処理が適用できる。  
ＮＧ通行者として検出された人物に対する人物特定処理の結果が得られると、プロセッサ１１は、抽出したＮＧ通行時の映像と共に人物特定処理の結果を記憶部１４に記録する（Ｓ３５９）。
【０１１４】
ＮＧ通行者に対する人物特定処理を実行すると、プロセッサ１１は、人物特定処理の結果を加えて、抽出したＮＧ通行情報を集計する（Ｓ３６０）。プロセッサ１１は、ＮＧ通行情報を集計したデータを処理結果として記憶部１４に記憶する。例えば、プロセッサ１１は、ＮＧ通行が発生した駅、ＮＧ通行が発生した簡易改札機、あるいは、ＮＧ通行が発生した時間帯ごとのＮＧ通行の発生回数を集計する。また、ＮＧ通行者が特定できた場合、プロセッサ１１は、特定された人物がＮＧ通行を行った回数などを集計し、集計したデータと当該人物の映像とを対応づけて記憶部１４に記録するようにしても良い。
【０１１５】
また、プロセッサ１１は、人物特定処理によりＮＧ通行者が特定できた場合、特定された当該人物（ＮＧ通行者）がＮＧ通行を行った回数により、ＮＧ通行を繰り返し行っている常習者であるかを判断する（Ｓ３６１）。当該人物がＮＧ通行の常習者であると判断した場合（Ｓ３６１、ＹＥＳ）、プロセッサ１１は、ＮＧ通行の常習者を検出した旨の警報を報知する（Ｓ３６２）。例えば、プロセッサ１１は、常習者の映像（顔画像）などを出力装置２としてのプリンタ２Ａ或は表示装置２Ｂにより出力する。これにより、出力装置２は、常習者の映像を表示すると共に警報を報知することができる。また、プロセッサ１１は、常習者と判定した人物がＮＧ通行した簡易改札機３が接続される監視盤４に警報を通知するようにしても良い。この場合、監視盤４が、ＮＧ通行の常習者が検出された旨の警報を報知するようにしても良い。
【０１１６】
また、検出可能なＮＧ通行情報が無くなった場合（Ｓ３５４、ＮＯ）、プロセッサ１１は、記憶部１４に蓄積したＮＧ通行情報の集計結果（処理結果）を出力装置２により出力し（Ｓ３６３）、ＮＧ通行者の検出処理を終了する。例えば、プロセッサ１１は、ＮＧ通行情報の集計結果を印刷又は表示用のデータとして出力装置２へ出力する。これにより、出力装置２としてのプリンタ２Ａが集計結果を用紙にプリントしたり、表示装置２Ｂが集計結果を表示したりすることができ、ＮＧ通行の発生状況をまとめたデータを提示することが可能となる。
【０１１７】
上述したＮＧ通行者の検出処理によれば、第３の実施形態の上位サーバは、簡易改札機が人間検知センサを具備しない構成であっても、簡易改札機が設置される場所（簡易改札駅）におけるＮＧ通行者を検出することができる。この結果、第３の実施形態の上位サーバは、ＮＧ通行情報を集計したり、ＮＧ通行者の映像を抽出したり、抽出した映像からＮＧ通行者を特定したり、ＮＧ通行の常習者を特定したりすることが可能となる。
【０１１８】
なお、撮影装置からの映像情報を監視盤が取得する構成とし、図１６に示すようなＮＧ通行者の検出処理を監視盤が実施するようにしても良い。この場合、監視盤は、ＮＧ通行者の検出結果、ＮＧ通行者の映像、ＮＧ通行の常習者の判定結果などを上位サーバへ通知する。これにより、改札システム全体において、ＮＧ通行者を監視することが可能となる。
【０１１９】
また、第３の実施形態に係る上位サーバは、図１６に示すようなＮＧ通行者の検出処理を図１５に示すような無札者の検出処理と共に実施するようにして良い。第３の実施形態に係る上位サーバ１が図１６に示すような処理と図１５に示すような処理とを共に実施することにより、第３の実施形態に係る改札システムは、簡易改札機３が人間検知センサを具備していなくても、簡易改札機が設置される場所（簡易改札駅）における無札者とＮＧ通行者とを検出できる。この結果、第３の実施形態に係る改札システムは、人間検知センサを具備しない簡易改札機３が設置される場所での無札者及びＮＧ通行者の映像を抽出したり、無札通行及びＮＧ通行者の常習者を特定したりすることが可能となる。
【０１２０】
（第４の実施形態）
次に、第４の実施形態に係る改札システムについて説明する。  
第４の実施形態に係る改札システムでは、簡易改札機３が人間を検知するセンサを具備していない構成とし、撮影装置５が撮影した映像から人物を検出する機能を有するものとする。つまり、第４の実施形態に係る撮影装置５は、撮影した映像から人物を検出し、人物を検出した映像を撮影した時刻を示す人検知情報を生成し、生成した人検知情報を上位サーバ１あるいは監視盤４へ送信する。第４の実施形態に係る上位サーバ１は、撮影装置５からの人検知情報と簡易改札機からの改札処理情報とに基づいて無札通行者およびＮＧ通行者を検出することにより、無札者の検出処理およびＮＧ通行者の検出処理を行う。
【０１２１】
次に、第４の実施形態における簡易改札機３の動作例について説明する。  
第４の実施形態に係る簡易改札機３は、第３の実施形態において説明した図１４に示す動作例と同様な動作を行うもので良い。すなわち、第４の実施形態に係る簡易改札機３は、利用者が提示する券媒体に対する改札処理の結果を示す改札処理情報を履歴情報として生成し、生成した改札処理情報を監視盤４および監視盤４を介した上位サーバ１へ送信する。これにより、第４の実施形態に係る上位サーバ１は、簡易改札機３から履歴情報として改札処理情報を取得する。
【０１２２】
次に、第４の実施形態における撮影装置５の動作例について説明する。  
図１７は、第４の実施形態における撮影装置５の動作例を説明するためのフローチャートである。  
第４の実施形態に係る撮影装置５は、第１の実施形態で説明した撮影装置５と同様に映像情報の記録及び転送を行うとともに、撮影した映像から人物を検出する処理を行う。また、第４の実施形態に係る撮影装置５は、人物の検出結果に基づいて人が検出された時刻（通行者が検出された時刻）を示す人検知情報を生成し、生成した人検知情報を上位サーバ１へ転送する機能を有する。
【０１２３】
すなわち、第４の実施形態に係る撮影装置５のプロセッサ５１は、撮影部５６により通路を含む撮影範囲を撮影する（Ｓ４２１）。プロセッサ５１は、撮影部５６により撮影した画像（映像）を時刻（タイムスタンプ）と対応づけた映像情報として記憶部５４に記録する（Ｓ４２２）。
【０１２４】
また、プロセッサ５１は、撮影部５６が撮影する映像に対して人物検出処理を行う（Ｓ４２３）。人物検出処理は、通路（入退場口）を通行する人物を検出できるものであれば良く、特定の手法に限定されるものではない。例えば、人物検出処理は、人物の顔を検出するものであっても良い、人物のシルエットを検出するものであっても良いし、人物らしい動体を検出するものであっても良い。また、プロセッサ５１は、人物検出処理として移動する１人の人物を複数の人物として検出しないように、移動する個々の人物を追跡するようにしても良いし、検出した人物が通路（入退場口）に所定の位置を通過した時を検出するようにしても良い。
【０１２５】
人物検出処理により人物を検出すると（Ｓ４２４、ＹＥＳ）、プロセッサ５１は、人物を検出した映像を撮影した時刻を示す人検知情報を生成し、生成した人検知情報を記憶部５４に記録する（Ｓ４２５）。例えば、プロセッサ５１は、人物を検出した映像を撮影した時刻（日時）、撮影した駅、撮影部５６の撮影領域にある簡易改札機３を示す識別情報（号機）などの情報が含む人検知情報を生成する。
【０１２６】
また、プロセッサ５１は、所定の転送条件を満したか否かにより、記憶部５４に蓄積した映像情報及び人検知情報を上位サーバ１へ送信するか否かを判断する（Ｓ４２６）。映像情報及び人検知情報を転送すると判断した場合（Ｓ４２６、ＹＥＳ）、プロセッサ５１は、記憶部５４に記憶した映像情報と人検知情報とを上位サーバ１へ送信する（Ｓ４２７）。また、プロセッサ５１は、映像情報及び人検知情報を監視盤４へ送信するようにしても良い。この場合、監視盤４は、撮影装置５からの映像情報及び人検知情報を上位サーバ１へ転送するようにしても良いし、監視盤４の記憶部４４に保持するようにしても良い。
【０１２７】
撮影装置５のプロセッサ５１は、Ｓ４２１−Ｓ４２７の処理を繰り返し実行することにより、通路を含む撮影範囲を撮影した映像と撮影した時刻とを対応づけた映像情報を上位サーバ１（或は監視盤４）へ転送するとともに、撮影した映像から人物の検出結果を示す人検知情報を上位サーバ１（或は監視盤４）へ転送する。これにより、上位サーバ１（或は監視盤４）は、撮影装置５から映像情報と人検知情報とを取得できる。
【０１２８】
次に、第４の実施形態に係る上位サーバ１による無札者の検出処理およびＮＧ通行者の検出処理について説明する。  
第４の実施形態に係る上位サーバ１は、第２の実施形態において説明した図１２に示す無札者の検出処理を同様な流れで無札者の検出処理を行うようにして良い。ただし、第４の実施形態は、簡易改札機３からの改札処理情報と撮影装置５からの人検知情報とに基づいて無札通行を検出する点（Ｓ２２３の処理）が第２の実施形態と異なる。
【０１２９】
また、第４の実施形態に係る上位サーバ１は、第２の実施形態において説明した図１３に示すＮＧ通行者の検出処理を同様な流れでＮＧ通行者の検出処理を行うようにして良い。ただし、第４の実施形態は、簡易改札機３からの改札処理情報と撮影装置５からの人検知情報とに基づいて、ＮＧ通行を検出する点（Ｓ２５３の処理）が第２の実施形態と異なる。
【０１３０】
上記のように、第４の実施形態に係る上位サーバは、簡易改札機が人間検知センサを具備しない構成であっても、撮影装置からの人検知情報を用いて、簡易改札機が設置される場所（簡易改札駅）における、無札通行およびＮＧ通行を検出することができる。この結果、第４の実施形態に係る上位サーバは、撮影装置が撮影した映像情報からＮＧ通行者の映像を抽出したり、抽出した映像からＮＧ通行をした人物を特定することでＮＧ通行の常習者を特定したりすることが可能となる。
【０１３１】
なお、撮影装置からの映像情報及び人検知情報を監視盤が取得する構成とし、上述した無札者の検知処理およびＮＧ通行者の検出処理を、監視盤が実施するようにしても良い。この場合、監視盤は、無札者及びＮＧ通行者の検出結果、無札者及びＮＧ通行者の映像、無札者及びＮＧ通行の常習者の判定結果などを上位サーバへ通知する。これにより、改札システム全体において、無札者及びＮＧ通行者を監視することが可能となる。
【０１３２】
上記のように、各実施形態に係る改札システムによれば、無札者やＮＧ通行者を物理的に制止するための通行制御機能を具備していない既存の簡易改札機を設置した場所（無人駅や閑散駅）においても、新たな大規模の設備投資や人員の配置等を行わずに、無札者あるいはＮＧ通行者を示す映像を抽出することができ、さらには、抽出した映像から無札通行あるいはＮＧ通行の常習者を特定することも可能となる。この結果、無札通行あるいはＮＧ通行を抑止したり、無札通行あるいはＮＧ通行の常習者を取り締まったりすることができる。
【０１３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３４】
１…上位サーバ（情報処理装置）、２…出力装置、３…簡易改札機、４…監視盤（情報処理装置）、５…撮影装置、１１…プロセッサ（制御部）、１４…記憶部、１５…通信部、３１…プロセッサ（制御部）、３４…記憶部、３５…通信部、３６…券処理部、３７…人間検知センサ、３８…クロック、４１…プロセッサ（制御部）、４４…記憶部、４５…第１通信部、５６…第２通信部、５１…プロセッサ（制御部）、５４…記憶部、５５…通信部、５６…撮影部、５７…クロック。
【図１】
2018045375.tif 000003
【図２】
2018045375.tif 000004
【図３】
2018045375.tif 000005
【図４】
2018045375.tif 000006
【図５】
2018045375.tif 000007
【図６】
2018045375.tif 000008
【図７】
2018045375.tif 000009
【図８】
2018045375.tif 000010
【図９】
2018045375.tif 000011
【図１０】
2018045375.tif 000012
【図１１】
2018045375.tif 000013
【図１２】
2018045375.tif 000014
【図１３】
2018045375.tif 000015
【図１４】
2018045375.tif 000016
【図１５】
2018045375.tif 000017
【図１６】
2018045375.tif 000018
【図１７】
2018045375.tif 000019